(57)【要約】  【課題】  キャビネット１１の外周面上にその周方向に摺動可能に取付けられた解除釦３３によって、この解除釦３３の摺動方向のみならず直交する方向であってディスクの軸線方向からの操作力によっても、蓋体１２のロック解除に伴う開放動作を可能にした蓋体の開放操作装置を提供する。  【解決手段】  キャビネット１１の外周面上に摺動可能に取付けられる解除釦３３の摺動方向とは直交する方向であってキャビネット１１の上方側に向う突部３５をこの解除釦３３に連設し、しかも解除釦３３の一側端を傾斜面３７によって構成する。一方蓋体１２側には上記解除釦３３の突部３５を受入れる切欠き３６を設けるとともに、この切欠き３６の一側端に、上記突部３５の傾斜面３７と対向する傾斜面３８を形成し、傾斜面３７、３８の部分に指を挿入することによって、上記傾斜面３７で上方からの力を摺動方向の力に変換して解除釦３３の解除方向への摺動を可能にする。【選択図】  図６
2006139891.tif 000002
【特許請求の範囲】
【請求項１】
キャビネットの上部を開閉自在な蓋体で覆うようにした装置において、
前記キャビネット側に設けられ、前記蓋体のロックを解除して開放する解除釦と、
前記解除釦に設けられ、解除方向と直交する方向の操作力を解除方向の操作力に変換する傾斜面と、
を具備する蓋体の開放操作装置。
【請求項２】
キャビネットの上部にディスク装着部が設けられ、該ディスク装着部にディスク状記録媒体が装着されて回転駆動されるようになされ、しかも該ディスク装着部を覆うように開閉自在な蓋体が取付けられることを特徴とする請求項１に記載の蓋体の開放操作装置。
【請求項３】
前記キャビネットの大きさが前記ディスク状記録媒体の大きさとほぼ同じであることを特徴とする請求項２に記載の蓋体の開放操作装置。
【請求項４】
前記蓋体の大きさが前記キャビネットの大きさとほぼ同じであることを特徴とする請求項２に記載の蓋体の開放操作装置。
【請求項５】
前記解除釦に解除方向と交差する方向に突出した突部が形成され、該突部に前記解除方向に傾斜した傾斜面が形成され、該傾斜面によって操作力を解除方向の操作力に変換することを特徴とする請求項１に記載の蓋体の開放操作装置。
【請求項６】
前記突部が解除方向とほぼ直交する方向に突出していることを特徴とする請求項５に記載の蓋体の開放操作装置。
【請求項７】
前記解除釦の前記突部を受入れる切欠きが蓋体の外周部に形成されることを特徴とする請求項５または請求項６に記載の蓋体の開放操作装置。
【請求項８】
前記蓋体の切欠き内に前記解除釦の突部の傾斜面と対向するように傾斜面が形成されることを特徴とする請求項７に記載の蓋体の開放操作装置。
【請求項９】
前記解除釦の突部の傾斜面と前記蓋体の切欠きの傾斜面とによってほぼＶ字状をなす凹部が形成されることを特徴とする請求項８に記載の蓋体の開放操作装置。
【請求項１０】
ほぼ円形の皿型のキャビネットを有し、該キャビネットの上部の装着面にディスク装着部が設けられ、該ディスク装着部にディスク状記録媒体を装着して回転駆動して再生を行なうとともに、該装着面を開閉自在な蓋体によって覆うようにしたディスクプレーヤにおいて、
前記キャビネットの外周部に閉じた前記蓋体のロックを解除する解除釦が設けられ、しかも該解除釦にはその操作方向と直交する方向に突出する突部を有し、該突部に形成された傾斜面によって前記直交する方向の操作力で前記解除釦が操作方向に操作されることを特徴とする蓋体の開放操作装置。
【請求項１１】
前記蓋体が閉じたときに前記突部が前記蓋体の外周縁の切欠きに受入れられることを特徴とする請求項１０に記載の蓋体の開放操作装置。
【請求項１２】
前記解除釦の傾斜面と対向するように前記蓋体の切欠きに傾斜面が形成されることを特徴とする請求項１１に記載の蓋体の開放操作装置。
【発明の詳細な説明】
【技術分野】
【０００１】
本発明は開放操作装置に係り、とくにキャビネットの上部を開閉自在な蓋体で覆うようにした装置における蓋体の開放操作装置に関する。
【背景技術】
【０００２】
ＣＤ（Ｃｏｍｐａｃｔ  ｄｉｓｃ）によって音楽を再生するポータブル式のＣＤプレーヤが広く用いれている。図１０および図１１は従来のこの種のＣＤプレーヤを示しており、ＣＤプレーヤはその外筐が偏平な皿状をなすキャビネット１と、上記キャビネット１の上面を覆う偏平な蓋体２とから構成されている。蓋体２上には操作釦３が設けられ、これらの操作釦３の操作によって、内部に装着されたＣＤの再生を行なうことが可能になる。またＣＤを挿入したり取出したりするためにキャビネット１の外側面にとくに図１１に示すように、解放操作釦４が取付けられており、この操作釦４を図中右方に摺動操作させることによって、蓋体２のロックが解除され、蓋体２がヒンジに内蔵されるばねによって該ヒンジを中心として回動して開かれるようになっている。
【０００３】
すなわち、図１０および図１１に示すディスクプレーヤにおいては、キャビネット１の外周面上に配されている解除操作釦４を指によって図１１中右方へ摺動操作させると、蓋体２の内側であって解除操作釦４の上方に設けられた爪と内部のロック機構との係合が解除され、これによって蓋体２は開放される。従って開かれた蓋体２の内側に装着された光ディスク（ＣＤ）を取出し、別のＣＤと交換し、再び蓋体２を閉じることによって、新たに装着された光ディスクの再生が行なわれる。
【０００４】
このようなＣＤプレーヤは、蓋体２のロックを解除するために操作釦４を摺動操作しなければならない。解除操作釦４の操作時に、一方の手でこのプレーヤのキャビネット１を保持し、他方の手で解除操作釦４の操作を行なう必要がある。図１０および図１１に示す形態のプレーヤにおいては、キャビネット１からの解除操作釦４の突出量を抑え、これによってキャビネット１の外形寸法を抑えることが可能になる。
【０００５】
このようなディスクプレーヤが机等の台の上に置かれた状態においても、このプレーヤが机上を滑らないように保持しながら操作する必要がある。机の上にプレーヤが置かれた状態において、上蓋２の天面方向から操作釦類を押込む方法によって蓋体２のロック解除を行なう形態を採用すると、蓋体２の開放の操作性が向上する。ところがスライド式の機構と押込み式の機構との両立においては、操作釦とキャビネットの部品点数が増加し、コストが増大し、キャビネットの外形寸法が大きくなる障害を生ずる。
【０００６】
図１２〜図１４に示す構成は、蓋体２の天面方向から操作釦を押込むことによって蓋体２の解除動作を行なう別の構成を示す。この構成は、蓋体２よりもキャビネット１の方が光ディスクの半径方向の側方に突出した形態になっており、キャビネット１の側方に突出した部分に開口５が形成されるとともに、この開口５内に出没自在に解除操作釦４が配される。解除操作釦４はとくに図１３および図１４に示すように、弾性アーム８の先端部に支持され、しかも上記解除操作釦４の内側に爪６がＵ字状の連結部を介して連設されており、この爪６が蓋体２側の係合孔７に係合されることによって、蓋体２のロックが行なわれるようになっている。
【０００７】
図１４Ａは蓋体２を閉じる直前の動作を示しており、蓋体２をそのヒンジを中心として回動させるようにして押下げて下降させると、この蓋体２の先端側に形成されている係合孔７が図１４Ｂに示すように解除操作釦４に連設された爪６と係合される。
【０００８】
このように蓋体２が閉じられてロックされた状態において、キャビネット１の外方に突出した突出部に設けられた開口５内の解除操作釦４を図１４Ｃに示すように上方から押すと、解除操作釦４がアーム８の弾性変形によって下方に沈むとともに右方へ偏倚し、これによって爪６も同方向に移動する。従って爪６が蓋体２の係合孔７から離脱し、これによって蓋体２のロックが解除される。
【０００９】
このような構成は、押込み式の解除操作釦４がキャビネット１側に設置され、この解除操作釦４を押込み操作することによって蓋体２の係合口５と爪６との係合が外れ、蓋体２が開放される。解除操作釦４は蓋体２の外周よりも外側に配され、しかも解除操作釦４はキャビネット１の半径方向外周側に運動することによって蓋体２のロックが解除される構造であるために、機器、とくにキャビネット１の外形寸法が大きくなる。解除操作釦４の半径方向外周側へ傾く運動によるキャビネット１の同方向の寸法の増大を抑えるためには、解除操作釦４を真直ぐに押圧する構造を採用すれば改善されるが、蓋体２の係合孔７と爪６との係合によるロックを解除するためには、解除操作釦４の押込み方向の力の作用方向の変換を行なう必要がある。このために部品点数が増加し、機構が複雑になる欠点がある。
【特許文献１】特開２００２−１９８６６３号公報
【特許文献２】特開２００２−３３４５６７号公報
【発明の開示】
【発明が解決しようとする課題】
【００１０】
本願発明の課題は、機器の寸法が増大することなく、しかも機器の上方から操作することによって、この機器の上部を覆う蓋体を開放できるようにした開放操作装置を提供することである。
【００１１】
本願発明の別の課題は、キャビネット側に設けられた解除釦を操作することによって蓋体の開放操作を行なう場合に、蓋体に比べてキャビネットを側方に大きく突出させることなくしかも上方からの押圧操作によって蓋体のロックを解除できるようにした開放操作装置を提供することである。
【００１２】
本願発明のさらに別の課題は、部品点数を増加させることなく、しかも上方からの操作力によって蓋体の開放操作を可能にした開放操作装置を提供することである。
【００１３】
本願発明のさらに別の課題は、機構を複雑にすることなく、しかも上方からの操作によって蓋体の開放操作を可能にした開放操作装置を提供することである。
【００１４】
本願発明のさらに別の課題は、上方からの操作によって、キャビネットの側面に設けられている解除釦が周方向に摺動するための押込み力の変換を可能にした開放操作装置を提供することである。
【００１５】
本願発明のさらに別の課題は、机上等に置かれた状態において、キャビネットを押えることなくしかも上方からの操作によって解除釦が横方向に摺動し、これによって蓋体の開放操作が行なわれるようにした開放操作装置を提供することである。
【００１６】
本願発明の上記の課題および別の課題は、以下に述べる本願発明の技術的思想および実施の形態によって明らかにされよう。
【課題を解決するための手段】
【００１７】
本願の主要な発明は、キャビネットの上部を開閉自在な蓋体で覆うようにした装置において、
前記キャビネット側に設けられ、前記蓋体のロックを解除して開放する解除釦と、
前記解除釦に設けられ、解除方向と直交する方向の操作力を解除方向の操作力に変換する傾斜面と、
を具備する蓋体の開放操作装置に関するものである。
【００１８】
ここで、キャビネットの上部にディスク装着部が設けられ、該ディスク装着部にディスク状記録媒体が装着されて回転駆動されるようになされ、しかも該ディスク装着部を覆うように開閉自在な蓋体が取付けられてよい。また前記キャビネットの大きさが前記ディスク状記録媒体の大きさとほぼ同じであってよい。また前記蓋体の大きさが前記キャビネットの大きさとほぼ同じであってよい。
【００１９】
また前記解除釦に解除方向と交差する方向に突出した突部が形成され、該突部に前記解除方向に傾斜した傾斜面が形成され、該傾斜面によって操作力を解除方向の操作力に変換してよい。また前記突部が解除方向とほぼ直交する方向に突出していてよい。また前記解除釦の前記突部を受入れる切欠きが蓋体の外周部に形成されてよい。また前記蓋体の切欠き内に前記解除釦の突部の傾斜面と対向するように傾斜面が形成されてよい。また前記解除釦の突部の傾斜面と前記蓋体の切欠きの傾斜面とによってほぼＶ字状をなす凹部が形成されてよい。
【００２０】
本願のさらに別の主要な発明は、ほぼ円形の皿型のキャビネットを有し、該キャビネットの上部の装着面にディスク装着部が設けられ、該ディスク装着部にディスク状記録媒体を装着して回転駆動して再生を行なうとともに、該装着面を開閉自在な蓋体によって覆うようにしたディスクプレーヤにおいて、
前記キャビネットの外周部に閉じた前記蓋体のロックを解除する解除釦が設けられ、しかも該解除釦にはその操作方向と直交する方向に突出する突部を有し、該突部に形成された傾斜面によって前記直交する方向の操作力で前記解除釦が操作方向に操作されることを特徴とする蓋体の開放操作装置に関するものである。
【００２１】
ここで、前記蓋体が閉じたときに前記突部が前記蓋体の外周縁の切欠きに受入れられてよい。また前記解除釦の傾斜面と対向するように前記蓋体の切欠きに傾斜面が形成されてよい。
【００２２】
本願発明の好ましい態様は、ポータブルＣＤプレーヤ等の携帯用音響機器において、記録メディアの交換時に、開閉する蓋部品のロック解除操作を容易にするためのものであって、従来形式に対して部品点数を増加させることなく、従ってコストアップすることなく、さらに機器の大きさや形状の変化を最小限で抑えたまま実現するものであって、蓋体のロック解除を行なう解除釦に、摺動方向の第１の操作部の他に、上下方向の操作力によって摺動方向の操作と同様の動作を行なうように、２つの方向からの操作を可能にした操作釦を有する開放操作装置に関するものである。
【００２３】
上記の態様によれば、機器の操作者の操作性が改善され、使い勝手が向上される。また解除釦の形状のみの変更によって、機器の操作性のバリエーションを出すことが可能になる。また意匠面でもバリエーションが出るようになる。また解除釦の設置の意図が明確に視覚化されるために、新たな商品としての提案が可能になる。さらには携帯用オーディオ機器や、ばね力によって開放させる構造か否かを問わず、上蓋の開放構造として広く利用できる。
【発明の効果】
【００２４】
本願の主要な発明は、キャビネットの上部を開閉自在な蓋体で覆うようにした装置において、キャビネット側に設けられ、蓋体のロックを解除して開放する解除釦と、解除釦に設けられ、解除方向と直交する方向の操作力を解除方向の操作力に変換する傾斜面と、を具備するようにしたものである。
【００２５】
従ってこのような蓋体の開放操作装置によると、解除方向と交差する方向の操作力を傾斜面によって解除方向の操作力に変換することができ、このために解除釦を解除方向と異なる方向から操作して蓋体のロックを解除し、蓋体を開放することが可能になる。
【００２６】
本願の別の主要な発明は、ほぼ円形の皿型のキャビネットを有し、該キャビネットの上部の装着面にディスク装着部が設けられ、該ディスク装着部にディスク状記録媒体を装着して回転駆動して再生を行なうとともに、該装着面を開閉自在な蓋体によって覆うようにしたディスクプレーヤにおいて、キャビネットの外周部に閉じた蓋体のロックを解除する解除釦が設けられ、しかも該解除釦にはその操作方向と直交する方向に突出する突部を有し、該突部に形成された傾斜面によって直交する方向の操作力で解除釦が操作方向に操作されるようにしたものである。
【００２７】
従ってこのような蓋体の開放操作装置によれば、解除釦に対してその操作方向と直交する方向から操作力を加えた場合に、突部の傾斜面によって操作釦に対して直交する方向の操作力を与え、これによって解除釦が解除方向に操作されるようになる。従って傾斜面によって変換される操作方向を上下方向とすることによって、机上に置かれたディスクプレーヤを上方から操作してその蓋体を開放することが可能になる。
【発明を実施するための最良の形態】
【００２８】
以下本願発明を図示の実施の形態によって説明する。本実施の形態はＣＤプレーヤに関するものであって、図１および図２に示すように、その外筐が偏平な皿状をなすキャビネット１１と、このキャビネット１１の上部に開閉自在に取付けられた蓋体１２とから構成されている。すなわち蓋体１２は図３および図４に示すようにヒンジ１３によってキャビネット１１の背面側の部分に開閉自在に取付けられている。
【００２９】
上記蓋体１２が開かれたときに露出される装着面１４は上面板によって構成され、しかもこの装着面１４には異形の凹部１５が形成され、この凹部１５にピックアップユニット１６が取付けられる。ピックアップユニット１６は後述する光ディスクの半径方向に移動可能なピックアップ１７を備えている。またピックアップユニット１６はキャビネット１１のほぼ中心部と対応する位置にセンタチャック１８を備えており、内蔵されているスピンドルモータによって回転駆動されるようになっている。さらに装着面１４には電池収納部１９が形成され、この電池収納部１９を電池蓋２０で開閉自在に覆うようにしている。
【００３０】
図４はこのようなＣＤプレーヤの装着面１４に光ディスク（ＣＤ）２２を装着する状態を示しており、光ディスク２２の中心孔２３をセンタチャック１８に係合させるようにしている。従ってこのような状態で光ディスク２２を上記センタチャック１８を介してスピンドルモータで回転駆動させるとともに、凹部１５に組込まれたピックアップユニット１６のピックアップ１７を光ディスク２２の下面に沿ってその半径方向に移動させることによって、この光ディスク２２に書込まれた情報を再生できるようになる。
【００３１】
なおこのようなＣＤ２２の再生操作にために、蓋体１２上には図１に示すように、表示部２５と操作釦２６とが設けられ、光ディスク２２による再生の状態を表示し、あるいはまた再生のモードの選択を行ない得るようにしている。
【００３２】
次にこのようなディスクプレーヤの蓋体１２の開放操作機構について説明する。図５に示すように蓋体１２の外周縁であってその下面には互いに対向するようにＬ字状をなす一対の爪３１が取付けられ、これらの爪３１はキャビネット１１の装着面１４の外周側に形成された挿通孔３２内を侵入し、内部のロック機構によってロックされるようになっている。そして上記ロック機構を構成する解除釦３３がキャビネット１１の上記挿通孔３２の下側に配されている。解除釦３２はキャビネット１１の外周面に形成された浅い凹部３４内をキャビネット１１の周方向に摺動可能に保持される。
【００３３】
操作釦３３はその摺動方向と直交する方向であって、光ディスク２２の軸線方向とほぼ平行に上方に突出する突部３５を備えている。そしてこのような突部３５に対応して、蓋体１２の外周縁が切欠かれ、切欠き３６になっている。切欠き３６は蓋体１２が閉じられたときに、上記突部３５を受入れるようになっている（図２参照）。
【００３４】
上記解除釦３３の突部３５の一側端は湾曲する傾斜面３７になっている。そしてこのような傾斜面３７と対向するように、蓋体１２側の切欠き３６の一側端が湾曲する傾斜面３８になっている。これらの傾斜面３７、３８がとくに図６および図９に示すように、蓋体１２が閉じられたときにほぼＶ字状をなす凹部を形成するようになっている。また操作釦３３の外周上には突条から成るすべり止め３９が形成されている。
【００３５】
操作釦３３はとくに図５および図７に示すように、その背面側に平板状をなす摺動板４１を一体に備えている。そして摺動板４１は図５に示すキャビネット１１の凹部３４内の横長開口４２を通してこのキャビネット１１内に組込まれるようになっている。摺動板４１は互いに１列に配された長孔４３、４４を備え、これらの長孔４３、４４が図７に示すようにキャビネット１１に立設されたボス４５、４６と係合され、これによって解除釦３３がキャビネット１１に対して摺動可能に支持されるようになっている。そしてこのような構成によって、解除釦３３はキャビネット１１の凹部３４内を摺動可能に支持される。
【００３６】
上記摺動板４１はその下面にピン４７を備えるとともに、側端部には上面が斜めになっているロック部４８を備えている。ロック部４８は蓋体１２側の一対の爪３１の内の図５および図６において左側の爪３１と係合されるようになっており、これによってロック動作を行なう。
【００３７】
上記摺動板４１の下側には、図５および図７に示すように補助レバー５１が配される。補助レバー５１はその中間位置に円形孔５２を備え、円形孔５２は上記ボス４６と係合され、これによって回動自在に支持される。また補助レバー５１は円形孔５２に隣接して係合孔５３を備え、この係合孔５３が摺動板４１の下面のピン４７と係合されるようになる。また補助レバー５１にはその側端にロック部５４が形成され、このロック部５４が蓋体１２の下面の一対の爪３１の内の、図５および図６における右側の爪３１と係合し、これによって蓋体１２のロックが行なわれる。
【００３８】
キャビネット１１の内部であって一対のボス４５、４６間にはピン５７が植設され、このピン５７にＶ字状のつる巻きばね５８が取付けられる。つる巻きばね５８は図５に示すようにほぼＶ字状になっており、両端に突出するアームが摺動板４１および補助レバー５１をそれぞれ離間させる方向に付勢しており、このために外部からの操作力を解除すると、図７に示すように蓋体１２の一対の爪３１が摺動板４１のロック部４８および補助レバー５１のロック部５４によってロックされる。
【００３９】
次にこのような蓋体１２の開放操作機構の動作を説明する。図３あるいは図４に示すように蓋体１２が開放された状態において、蓋体１２をヒンジ部１３を中心として閉じる方向に押えると、この蓋体１２の切欠き３６の下面に設けられている一対の爪３１が図７に示すようにキャビネット１１側の解除釦３３と連動するロック機構によってロックされる。すなわち一対の爪３１の内の左側の爪３１は摺動板４１のロック部４８の上面の傾斜面を滑りながらこの摺動板４１をつる巻きばね５８に抗して図７Ａにおいて右方へ押しながらこのロック部４８を乗越え、この後摺動板４１がつる巻きばね５８によって図７Ａに示すように元の位置に復帰する。従って左側の爪３１は摺動板４１のロック部４８によってロックされる。
【００４０】
また右側の爪３１は蓋体１２の下降によって補助レバー５１のロック部５４の上面の傾斜面を乗越え、この後つる巻きばね５８によって補助レバー５１がボス４６を中心として反時計方向に回動されるために、ロック部５４によって爪３１がロックされる。
【００４１】
このような状態において、キャビネット１１の外周面上の操作釦３３をすべり止め３９の部分を利用して円周方向右方に図６Ｂに示すように摺動操作させる。すると解除釦３３が凹部３４内を右方に摺動する。従って摺動板４１がつる巻きばね４８に抗して図７Ｂに示すように右方に移動し、そのロック部４８が爪３１から離脱する。これによって左側の爪３１のロックが解除される。
【００４２】
上記解除釦３３および摺動板４１の右方への移動に伴って、摺動板４１の下面に形成されているピン４７が係合する係合孔５３を有する補助レバー５１はボス４６を中心としてつる巻きばね５８に抗して、図７Ｂに示すように時計方向に回動する。従ってこの補助レバー５１のロック部５４と右側の爪３１との係合が外れる。
【００４３】
このように左右一対の爪３１がロック部４８、５４から離脱するために、蓋体１２のロックが解除される。従って蓋体１２はヒンジ１３に内蔵されるばねによってヒンジ１３を中心として開放動作をする（図３、図４参照）。
【００４４】
このように本実施の形態のディスクプレーヤは、キャビネット１１と蓋体１２とを備え、キャビネット１１の外周面上に解除釦３３を備えている。ここでキャビネット１１の形状は図１０および図１１に示す従来のディスクプレーヤの形状とほぼ同一である。また蓋体１２は従来のディスクプレーヤと同様に、キャビネット１１のヒンジ１３の部分に組込まれ、解除釦３３を開放操作方向に操作することによってロック解除を行なうと、ヒンジ１３に組込まれているばねによって開放動作が行なわれる（図３、図４参照）。
【００４５】
このようなディスクプレーヤにおいて、蓋体１２には図５に示すように解除釦３３の動作範囲に対応する切欠き３６が形成され、しかも切欠き３６の一側端には滑らかな湾曲する傾斜面３８が形成され、この傾斜面３８の下端側が突起４０になっている。これに対して解除釦３３は上記蓋体１２の傾斜面３８と対向する傾斜面３７を側端に備える突部３５を設けている。
【００４６】
従って図６Ａに示すように、使用者が指先で上方から矢印で示すような押込み力を加えると、指は蓋体１２の切欠き３６の傾斜面３８に接触する。そしてこの傾斜面３８が蓋体１２に形成されているために、傾斜面３８の位置の変位や変形が発生せず、これによって上方から挿入された指が傾斜面３８によって反対方向の反力を受ける。
【００４７】
従って押込み力が図６Ａにおける操作釦３８の摺動方向の力に変換され、このために解除釦３３はスライド運動を始める。すなわち解除釦３３が図６Ａに示す位置から図６Ｂに示す位置へ移動すると、内部のロック機構が図７Ａに示す状態から図７Ｂに示す状態に変化し、これによって蓋体１２の一対の爪３１のロックが解除される。このために蓋体１２はヒンジ１３を中心として内蔵されるばねによって開放される。このような蓋体１２の開放操作は、解除釦３３を上方から操作することによって行なわれるが、ディスクプレーヤが机上に置かれた状態であってもこのディスクプレーヤが机上を動かないように何らかの保持をすることなく操作を行なうことが可能になる。
【００４８】
本発明における機器構成においては、図６Ａにおける操作釦３３の摺動方向への直接操作も可能であって、外側面に形成されているすべり止め３９の部分を利用して従来のディスクプレーヤと同様に解除釦３３をキャビネット１１の外周面上で右方へ摺動操作することによっても達成される。すなわち従来と同様に、使用者が両手で機器を保持した状態で操作することができるとともに、ディスクプレーヤが机上に置かれた状態で、片方の手で蓋体１２の開放操作を行なうことも可能である。
【００４９】
図５はこのような蓋体１２の開放操作機構の部品構成を示しており、解除釦３３はキャビネット１１へ嵌込むことによって固定されるが、キャビネット１１はその構造が従来と同様の構造である。またその部品点数の増加もない。
【００５０】
図８は、本実施の形態のロック機構のディスクプレーヤ内への組込み状態の断面図を示している。解除釦３３はキャビネット１１の壁部を抱え込む形状になっており、外圧が加わった場合にはキャビネット１１の壁部が解除釦３３を受ける構造になっている。また解除釦３３は上蓋１２からの突出量を抑えることにより、解除釦３３の破損が防止される。
【００５１】
また本実施の形態は、図９に示すように、解除釦３３の突部３５の側端に傾斜面３７を形成するとともに、これに対応して蓋体１２側には傾斜面３８を形成している。このような一対の傾斜面３７、３８の組合わせによると、このディスクプレーヤの高さ方向の寸法を小さくできる。
【００５２】
図９Ｂに示すように解除釦３３側のみに傾斜面３７を形成した構成によると、指が入る幅Ｗを得るための必要高さＨ２  は、傾斜面３７の傾斜が同じ場合には、蓋体１２側に傾斜面３８を形成した場合の高さＨ１  と比べて高さが極めて大きくなる。これに対して本願のように、蓋体１２と解除釦３３の突部３５とにそれぞれ傾斜面３８、３７を形成すると、指が入る幅Ｗの凹部を形成するための高さ方向の寸法Ｈ１  が非常に小さくなり、これによって薄型のディスクプレーヤが得られる。
【００５３】
従ってこのようなディスクプレーヤの蓋体１２の開放操作機構は、部品点数を増加させることなく、コストアップを行なうことなく、キャビネット１１の側面における外周面上の摺動操作とキャビネット１１に対して上方からの押込み操作の何れによっても解除釦３３によって開放動作を行なうことが可能になり、使用者がこのディスクプレーヤを手に持った状態で蓋体１２の開放操作を行なえるばかりでなく、このディスクプレーヤを机等の台の上に置いた状態で片手で操作することも可能になる。また解除釦３３の取付け方法や取付ける相手部品の変更が必要ではなく、プレーヤ全体の大きさも大きくなることがない。また図８に示す機構によって、解除釦３３の組込み機構が、外圧に耐える強度を備える。
【００５４】
以上本願発明を図示の実施の形態によって説明したが、本願発明は上記実施の形態によって限定されることなく、本願に含まれる発明の技術的思想の範囲内において各種の変更が可能である。例えば上記実施の形態は蓋体１２側に一対の爪３１を備え、これらの爪３１を摺動板４１のロック部４８と補助レバー５１のロック部５４とによってロックする構造を採用しているが、爪３１の数については必ずしも一対である必要がなく、単一であっても、３つ以上であってもよく、また解除釦３３の摺動に連動するロック機構も必ずしも上記実施の形態に限定されるものではない。
【産業上の利用可能性】
【００５５】
本願発明は、ＣＤ等のディスク状記録媒体を用いるディスクプレーヤの蓋体の開放操作装置として広く利用可能である。
【図面の簡単な説明】
【００５６】
【図１】ディスクプレーヤの平面図である。
【図２】同ディスクプレーヤの側面図である。
【図３】ディスクプレーヤを開放した状態の外観斜視図である。
【図４】装着面に光ディスクを装着した状態の外観斜視図である。
【図５】解除釦とロック機構との分解斜視図である。
【図６】解除釦の取付けを示す要部平面図である。
【図７】ロック動作を示すロック機構の要部平面図である。
【図８】解除釦の組込み構造を示す要部断面図である。
【図９】解除釦と切欠きの傾斜面の関係を示す要部正面図である。
【図１０】従来のディスクプレーヤの平面図である。
【図１１】同従来のディスクプレーヤの側面図である。
【図１２】上方から開放操作できる操作釦を備えるディスクプレーヤの外観斜視図である。
【図１３】解除釦の取付けを示す要部斜視図である。
【図１４】同解除釦と連動するロック機構のロック動作を示す要部縦断面図である。
【符号の説明】
【００５７】
１‥‥キャビネット、２‥‥蓋体、３‥‥操作釦、４‥‥解除操作釦、５‥‥開口、６‥‥爪、７‥‥係合孔、８‥‥アーム、１１‥‥キャビネット、１２‥‥蓋体、１３‥‥ヒンジ、１４‥‥装着面（上面板）、１５‥‥凹部、１６‥‥ピックアップユニット、１７‥‥ピックアップ、１８‥‥センターチャック、１９‥‥電池収納部、２０‥‥電池蓋、２２‥‥光ディスク（ＣＤ）、２３‥‥中心孔、２５‥‥表示部、２６‥‥操作釦、３１‥‥爪、３２‥‥挿通孔、３３‥‥解除釦、３４‥‥凹部、３５‥‥突部、３６‥‥切欠き、３７‥‥傾斜面、３８‥‥傾斜面、３９‥‥すべり止め、４０‥‥突起、４１‥‥摺動板、４２‥‥横長開口、４３、４４‥‥長孔、４５、４６‥‥ボス、４７‥‥ピン、４８‥‥ロック部、５１‥‥補助レバー、５２‥‥円形孔、５３‥‥係合孔、５４‥‥ロック部、５７‥‥ピン、５８‥‥つる巻きばね
【図１】
2006139891.tif 000003
【図２】
2006139891.tif 000004
【図３】
2006139891.tif 000005
【図４】
2006139891.tif 000006
【図５】
2006139891.tif 000007
【図６】
2006139891.tif 000008
【図７】
2006139891.tif 000009
【図８】
2006139891.tif 000010
【図９】
2006139891.tif 000011
【図１０】
2006139891.tif 000012
【図１１】
2006139891.tif 000013
【図１２】
2006139891.tif 000014
【図１３】
2006139891.tif 000015
【図１４】
2006139891.tif 000016